(57)【要約】【課題】可動カバー部を固定カバー部に対して移動させることが可能なカバーを備える電動工具において、ユーザの安全性を向上することが可能な技術を提供する。【解決手段】電動工具は、モータと、前記モータに接続される動力伝達機構と、前記モータおよび前記動力伝達機構を収容するハウジングと、前記動力伝達機構に接続されており、先端工具を保持する先端工具保持部と、前記先端工具の少なくとも一部を覆うカバーを備えていてもよい。前記カバーは、前記ハウジングに対して固定された固定カバー部と、前記固定カバー部に対して移動可能な可動カバー部と、前記可動カバー部と機械的に連結しており、前記可動カバー部を前記固定カバー部に対して移動させる操作部材を備えていてもよい。【選択図】図１
2019181625.tif 000002
【特許請求の範囲】
【請求項１】
モータと、
前記モータに接続される動力伝達機構と、
前記モータおよび前記動力伝達機構を収容するハウジングと、
前記動力伝達機構に接続されており、先端工具を保持する先端工具保持部と、
前記先端工具の少なくとも一部を覆うカバーを備えており、
前記カバーが、前記ハウジングに対して固定された固定カバー部と、前記固定カバー部に対して移動可能な可動カバー部と、前記可動カバー部と機械的に連結しており、前記可動カバー部を前記固定カバー部に対して移動させる操作部材を備えている、電動工具。
【請求項２】
前記操作部材が、前記可動カバー部および前記先端工具よりも先に障害物に当接する当接部を備えており、
前記当接部が前記障害物によって押し込まれた時に、前記可動カバー部が前記固定カバー部に対して、前記先端工具を露出させる方向に移動する、請求項１の電動工具。
【請求項３】
前記操作部材をユーザが手で操作することによって、前記可動カバー部が前記固定カバー部に対して、前記先端工具を露出させる方向に移動する、請求項１または２の電動工具。
【請求項４】
前記カバーが、前記可動カバー部が前記固定カバー部に対して、前記先端工具を覆う方向に移動するように、前記操作部材を付勢する付勢部材をさらに備える、請求項１から３の何れか一項の電動工具。
【請求項５】
前記先端工具が、前記ハウジングに対して回転軸周りに回転可能であって、
前記操作部材が、前記固定カバー部に対して前記回転軸に略直交するスライド方向に沿って移動可能である、請求項１から４の何れか一項の電動工具。
【請求項６】
前記可動カバー部が、前記固定カバー部に対して前記回転軸に略平行な回動軸周りに回動可能である、請求項５の電動工具。
【請求項７】
前記可動カバー部が、前記固定カバー部に対して前記回転軸および前記スライド方向に略直交する回動軸周りに回動可能である、請求項５の電動工具。
【請求項８】
前記操作部材および前記可動カバー部の一方が、カム溝を備えており、
前記操作部材および前記可動カバー部の他方が、前記カム溝の内部を摺動可能なカム突起を備えており、
前記操作部材を前記固定カバー部に対して前記スライド方向に移動させると、前記可動カバー部が前記回動軸周りに回動する、請求項６または７の電動工具。
【請求項９】
モータと、前記モータに接続される動力伝達機構と、前記モータおよび前記動力伝達機構を収容するハウジングと、前記動力伝達機構に接続されており、先端工具を保持する先端工具保持部を備える電動工具に、前記先端工具の少なくとも一部を覆うように取り付けられるカバーであって、
前記ハウジングに対して固定された固定カバー部と、前記固定カバー部に対して移動可能な可動カバー部と、前記可動カバー部と機械的に連結しており、前記可動カバー部を前記固定カバー部に対して移動させる操作部材を備えている、カバー。
【請求項１０】
前記操作部材が、前記可動カバー部および前記先端工具よりも先に障害物に当接する当接部を備えており、
前記当接部が前記障害物によって押し込まれた時に、前記可動カバー部が前記固定カバー部に対して、前記先端工具を露出させる方向に移動する、請求項９のカバー。
【請求項１１】
前記操作部材を、ユーザが手で操作することによって、前記可動カバー部が前記固定カバー部に対して、前記先端工具を露出させる方向に移動する、請求項９または１０のカバー。
【請求項１２】
前記可動カバー部が前記固定カバー部に対して、前記先端工具を覆う方向に移動するように、前記操作部材を付勢する付勢部材をさらに備える、請求項９から１１の何れか一項のカバー。
【請求項１３】
前記先端工具が、前記ハウジングに対して回転軸周りに回転可能であって、
前記操作部材が、前記固定カバー部に対して前記回転軸に略直交するスライド方向に沿って移動可能である、請求項９から１２の何れか一項のカバー。
【請求項１４】
前記可動カバー部が、前記固定カバー部に対して前記回転軸に略平行な回動軸周りに回動可能である、請求項１３のカバー。
【請求項１５】
前記可動カバー部が、前記固定カバー部に対して前記回転軸および前記スライド方向に略直交する回動軸周りに回動可能である、請求項１３のカバー。
【請求項１６】
前記操作部材および前記可動カバー部の一方が、カム溝を備えており、
前記操作部材および前記可動カバー部の他方が、前記カム溝の内部を摺動可能なカム突起を備えており、
前記操作部材を前記固定カバー部に対して前記スライド方向に移動させると、前記可動カバー部が前記回動軸周りに回動する、請求項１４または１５のカバー。
【発明の詳細な説明】
【技術分野】
【０００１】
本明細書で開示する技術は、電動工具およびカバーに関する。
【背景技術】
【０００２】
特許文献１には、モータと、前記モータに接続される動力伝達機構と、前記モータおよび前記動力伝達機構を収容するハウジングと、前記動力伝達機構に接続されており、先端工具を保持する先端工具保持部と、前記先端工具の少なくとも一部を覆うカバーを備える電動工具が開示されている。前記カバーは、前記ハウジングに対して固定された固定カバー部と、前記固定カバー部に対して移動可能な可動カバー部を備えている。
【先行技術文献】
【特許文献】
【０００３】
【特許文献１】実開昭６１−９２４７号公報
【発明の概要】
【発明が解決しようとする課題】
【０００４】
上記のような電動工具では、可動カバー部を固定カバー部に対して移動させる際に、ユーザが可動カバー部を掴んで移動させる必要がある。このため、先端工具が駆動している時に、可動カバー部を移動させようとすると、可動カバー部の近傍で駆動している先端工具にユーザの手を近づけることになる。本明細書では、可動カバー部を固定カバー部に対して移動させることが可能なカバーを備える電動工具において、ユーザの安全性を向上することが可能な技術を提供する。
【課題を解決するための手段】
【０００５】
本明細書は電動工具を開示する。電動工具は、モータと、前記モータに接続される動力伝達機構と、前記モータおよび前記動力伝達機構を収容するハウジングと、前記動力伝達機構に接続されており、先端工具を保持する先端工具保持部と、前記先端工具の少なくとも一部を覆うカバーを備えていてもよい。前記カバーは、前記ハウジングに対して固定された固定カバー部と、前記固定カバー部に対して移動可能な可動カバー部と、前記可動カバー部と機械的に連結しており、前記可動カバー部を前記固定カバー部に対して移動させる操作部材を備えていてもよい。
【０００６】
本明細書はカバーも開示する。カバーは、モータと、前記モータに接続される動力伝達機構と、前記モータおよび前記動力伝達機構を収容するハウジングと、前記動力伝達機構に接続されており、先端工具を保持する先端工具保持部を備える電動工具に、前記先端工具の少なくとも一部を覆うように取り付けられてもよい。前記カバーは、前記ハウジングに対して固定された固定カバー部と、前記固定カバー部に対して移動可能な可動カバー部と、前記可動カバー部と機械的に連結しており、前記可動カバー部を前記固定カバー部に対して移動させる操作部材を備えていてもよい。
【０００７】
上記の電動工具や、上記のカバーによれば、ユーザは、可動カバー部を掴むことなく、操作部材を操作することによって、可動カバー部を固定カバー部に対して移動させることができる。このため、先端工具が駆動している時に、可動カバー部を移動させようとする場合でも、可動カバー部の近傍で駆動している先端工具にユーザの手を近づけることなく、可動カバー部を移動させることができる。上記の電動工具や、上記のカバーによれば、ユーザの安全性を向上することができる。
【図面の簡単な説明】
【０００８】
【図１】実施例１の集塵カバー２を取り付けたグラインダ４を前方右方上方から見た斜視図である。
【図２】実施例１の集塵カバー２を取り付けたグラインダ４を後方左方下方から見た斜視図である。
【図３】実施例１の集塵カバー２を取り付けたグラインダ４の縦断面図である。
【図４】実施例１の集塵カバー２の斜視図である。
【図５】実施例１の集塵カバー２の、ベース５２を取り外した状態の斜視図である。
【図６】実施例１の集塵カバー２の操作部材７２の斜視図である。
【図７】実施例１の集塵カバー２の可動カバー部６４の斜視図である。
【図８】実施例１の集塵カバー２の固定カバー部６２の前方端部の斜視図である。
【図９】実施例１の集塵カバー２の、ベース５２を取り外した状態で、操作部材７２を後方に移動させた状態の斜視図である。
【図１０】実施例１の集塵カバー２を取り付けたグラインダ４で、壁面Ｗの近傍の床面Ｆを研削する際に、可動カバー部６４が閉じた状態を示す側面図である。
【図１１】実施例１の集塵カバー２を取り付けたグラインダ４で、壁面Ｗの近傍の床面Ｆを研削する際に、可動カバー部６４が開いた状態を示す側面図である。
【図１２】実施例２の集塵カバー１０２の前方左方上方から見た斜視図である。
【図１３】実施例２の集塵カバー１０２の後方左方下方から見た斜視図である。
【図１４】実施例２の集塵カバー１０２の、ベース５２を取り外した状態の斜視図である。
【図１５】実施例２の集塵カバー１０２の第１可動カバー部１０６の斜視図である。
【図１６】実施例２の集塵カバー１０２の第２可動カバー部１０８の斜視図である。
【図１７】実施例２の集塵カバー１０２の、ベース５２を取り外した状態で、操作部材１１４を後方に移動させた状態の斜視図である。
【図１８】実施例２の集塵カバー１０２を取り付けたグラインダ４で、壁面Ｗの近傍の床面Ｆを研削する際に、第１可動カバー部１０６と第２可動カバー部１０８が閉じた状態を示す側面図である。
【図１９】実施例２の集塵カバー１０２を取り付けたグラインダ４で、壁面Ｗの近傍の床面Ｆを研削する際に、第１可動カバー部１０６と第２可動カバー部１０８が開いた状態を示す側面図である。
【図２０】実施例３の集塵カバー２０２の前方左方上方から見た斜視図である。
【図２１】実施例３の集塵カバー２０２の後方左方下方から見た斜視図である。
【図２２】実施例３の集塵カバー２０２の、ベース５２を取り外した状態の斜視図である。
【図２３】実施例３の集塵カバー２０２の操作部材２１２の内側を後方右方下方から見た斜視図である。
【図２４】実施例３の集塵カバー２０２の固定カバー部２０４の前方左方の端部を前方左方上方から見た斜視図である。
【図２５】実施例３の集塵カバー２０２の可動カバー部２０６が開いた状態を前方左方上方から見た斜視図である。
【図２６】実施例３の集塵カバー２０２を取り付けたグラインダ４で、可動カバー部２０６が閉じた状態を示す側面図である。
【図２７】実施例３の集塵カバー２０２を取り付けたグラインダ４で、可動カバー部６４が開いた状態を示す側面図である。
【発明を実施するための形態】
【０００９】
１つまたはそれ以上の実施形態において、電動工具は、モータと、前記モータに接続される動力伝達機構と、前記モータおよび前記動力伝達機構を収容するハウジングと、前記動力伝達機構に接続されており、先端工具を保持する先端工具保持部と、前記先端工具の少なくとも一部を覆うカバーを備えていてもよい。前記カバーは、前記ハウジングに対して固定された固定カバー部と、前記固定カバー部に対して移動可能な可動カバー部と、前記可動カバー部と機械的に連結しており、前記可動カバー部を前記固定カバー部に対して移動させる操作部材を備えていてもよい。
【００１０】
１つまたはそれ以上の実施形態において、カバーは、モータと、前記モータに接続される動力伝達機構と、前記モータおよび前記動力伝達機構を収容するハウジングと、前記動力伝達機構に接続されており、先端工具を保持する先端工具保持部を備える電動工具に、前記先端工具の少なくとも一部を覆うように取り付けられてもよい。前記カバーは、前記ハウジングに対して固定された固定カバー部と、前記固定カバー部に対して移動可能な可動カバー部と、前記可動カバー部と機械的に連結しており、前記可動カバー部を前記固定カバー部に対して移動させる操作部材を備えていてもよい。
【００１１】
上記の電動工具や、上記のカバーによれば、ユーザは、可動カバー部を掴むことなく、操作部材を操作することによって、可動カバー部を固定カバー部に対して移動させることができる。このため、先端工具が駆動している時に、可動カバー部を移動させようとする場合でも、可動カバー部の近傍で駆動している先端工具にユーザの手を近づけることなく、可動カバー部を移動させることができる。上記の電動工具や、上記のカバーによれば、ユーザの安全性を向上することができる。
【００１２】
１つまたはそれ以上の実施形態において、前記操作部材は、前記可動カバー部および前記先端工具よりも先に障害物に当接する当接部を備えていてもよい。前記当接部が前記障害物によって押し込まれた時に、前記可動カバー部は前記固定カバー部に対して、前記先端工具を露出させる方向に移動してもよい。
【００１３】
上記の構成によれば、例えば壁面等の障害物の近傍で、例えば床面等のワークに対して作業をする際に、当接部を障害物に押し付けることによって、可動カバー部を固定カバー部に対して移動させて、先端工具を露出させることができる。操作部材に手を触れることなく、可動カバー部を固定カバー部に対して移動させることができるので、ユーザの利便性を向上することができる。
【００１４】
１つまたはそれ以上の実施形態において、前記操作部材をユーザが手で操作することによって、前記可動カバー部が前記固定カバー部に対して、前記先端工具を露出させる方向に移動してもよい。
【００１５】
上記の構成によれば、ユーザが先端工具を露出させたい場合に、自身の手で操作部材を操作することで、可動カバー部を固定カバー部に対して移動させて、先端工具を露出させることができる。
【００１６】
１つまたはそれ以上の実施形態において、前記カバーは、前記可動カバー部が前記固定カバー部に対して、前記先端工具を覆う方向に移動するように、前記操作部材を付勢する付勢部材をさらに備えていてもよい。
【００１７】
上記の構成によれば、操作部材に対して外力が作用していない場合に、付勢部材の付勢力によって、可動カバー部が固定カバー部に対して移動して、先端工具が覆われる。上記の構成によれば、先端工具が露出した状態のまま放置されることがないので、ユーザの安全性をより向上することができる。
【００１８】
１つまたはそれ以上の実施形態において、前記先端工具は、前記ハウジングに対して回転軸周りに回転可能であってもよい。前記操作部材は、前記固定カバー部に対して前記回転軸に略直交するスライド方向に沿って移動可能であってもよい。
【００１９】
多くの場合、先端工具の少なくとも一部を覆うカバーは、先端工具の回転軸に直交する方向に広がりのある形状を有している。上記の構成によれば、操作部材の移動方向を、カバーの外形形状に沿った方向とすることができ、カバーを小型化することができる。
【００２０】
１つまたはそれ以上の実施形態において、前記可動カバー部は、前記固定カバー部に対して前記回転軸に略平行な回動軸周りに回動可能であってもよい。
【００２１】
上記の構成によれば、可動カバー部を固定カバー部に対して回動させた時に、可動カバー部が先端工具やワークから遠ざかる方向に移動するので、可動カバー部が作業の邪魔になることを抑制することができる。
【００２２】
１つまたはそれ以上の実施形態において、前記可動カバー部は、前記固定カバー部に対して前記回転軸および前記スライド方向に略直交する回動軸周りに回動可能であってもよい。
【００２３】
上記の構成によれば、可動カバー部を固定カバー部に対して回動させた時に、可動カバー部が先端工具やワークから遠ざかる方向に移動するので、可動カバー部が作業の邪魔になることを抑制することができる。
【００２４】
１つまたはそれ以上の実施形態において、前記操作部材および前記可動カバー部の一方は、カム溝を備えていてもよい。前記操作部材および前記可動カバー部の他方は、前記カム溝の内部を摺動可能なカム突起を備えていてもよい。前記操作部材を前記固定カバー部に対して前記スライド方向に移動させると、前記可動カバー部が前記回動軸周りに回動してもよい。
【００２５】
上記の構成によれば、簡素な構成によって、操作部材の移動に連動した可動カバー部の回動を実現することができる。
【００２６】
（実施例１）
図１に示すように、本実施例の集塵カバー２は、グラインダ４に取り付けて使用される。図２に示すように、グラインダ４は、ダイヤモンドカップ６の回転によって、コンクリート、ブロック、レンガ、石材等のワークの研削を行うことができる。なお、以下の説明では、グラインダ４の長手方向を前後方向といい、ダイヤモンドカップ６の回転軸方向を上下方向といい、前後方向と上下方向に直交する方向を左右方向という。
【００２７】
図３に示すように、グラインダ４は、本体ハウジング８と、ギヤハウジング１０と、ベアリングボックス１２を備えている。
【００２８】
本体ハウジング８の前方内部には、モータ１４が収容されている。モータ１４は、前後方向に伸びる出力軸１６を有している。出力軸１６は、ベアリング１８，２０を介して、本体ハウジング８に回転可能に支持されている。本体ハウジング８の後方内部には、電源回路２２が収容されている。電源回路２２には、外部の電源から電源コード２４を介して電力が供給される。電源回路２２は、ユーザがスイッチ２６（図２等参照）をオンに操作すると、モータ１４に電力を供給し、ユーザがスイッチ２６をオフに操作すると、モータ１４への電力の供給を停止する。モータ１４は、電源回路２２から供給される電力によって、出力軸１６を回転させる。
【００２９】
ギヤハウジング１０は、本体ハウジング８の前方に取り付けられている。ギヤハウジング１０の内部には、互いに噛み合うように配置された第１ベベルギヤ２８と第２ベベルギヤ３０が収容されている。第１ベベルギヤ２８は、出力軸１６の前方端部に固定されている。第２ベベルギヤ３０は、上下方向に伸びるスピンドル３２の上方端部に固定されている。以下では、第１ベベルギヤ２８と第２ベベルギヤ３０を総称して、単にベベルギヤ３４ともいう。ベベルギヤ３４は、モータ１４の回転を減速してスピンドル３２に伝達する減速機構であり、動力伝達機構ということができる。ギヤハウジング１０は、ベアリング３６を介して、スピンドル３２の上方端部を保持している。図１に示すように、ギヤハウジング１０の上面には、シャフトロック３８が設けられている。ユーザがシャフトロック３８を下方に押し込むと、第２ベベルギヤ３０の回転が禁止されて、スピンドル３２の回転が禁止される。
【００３０】
図３に示すように、ベアリングボックス１２は、ギヤハウジング１０の下方に取り付けられている。ベアリングボックス１２は、ベアリング４０，４２を介して、スピンドル３２を保持している。スピンドル３２は、上下方向に沿った回転軸に関して、ベアリングボックス１２に対して回転可能である。スピンドル３２の下方端部には、インナフランジ４４とアウタフランジ４６を介して、ダイヤモンドカップ６を取り付け可能である。インナフランジ４４は、スピンドル３２に嵌合されている。ダイヤモンドカップ６は、インナフランジ４４の下方からスピンドル３２に取り付けられて、インナフランジ４４に嵌合されている。アウタフランジ４６は、スピンドル３２の下方端部からスピンドル３２に螺着されて、インナフランジ４４との間でダイヤモンドカップ６を挟持する。グラインダ４において、モータ１４が回転すると、スピンドル３２とともにダイヤモンドカップ６が回転軸周りに回転することで、ワークの研削を行うことができる。スピンドル３２は、先端工具であるダイヤモンドカップ６を保持する先端工具保持部ということもできる。なお、以下の説明では、本体ハウジング８、ギヤハウジング１０およびベアリングボックス１２を総称して、単にハウジング４８ともいう。
【００３１】
集塵カバー２は、ベアリングボックス１２に形成された略円筒形状のカバー取り付け部５０に取り付けられている。集塵カバー２は、グラインダ４に取り付けられた時に、ダイヤモンドカップ６の周囲を覆う形状に形成されている。集塵カバー２は、ダイヤモンドカップ６がワークを研削する際に、周囲に切削粉が飛び散ることを防止するとともに、切削粉を集塵機（図示せず）によって収集するために使用される。
【００３２】
図４に示すように、集塵カバー２は、ベース５２と、カバー本体５４と、ノズル５６とを備えている。
【００３３】
ベース５２は、バンド５８と、ベースプレート６０を備えている。バンド５８は、帯状の平板を円筒形状に湾曲させた湾曲部５８ａと、湾曲部５８ａの両端から外側に向けて伸びる一対の平板部５８ｂと、一対の平板部５８ｂの間隔を調整する締結具５８ｃを備えている。ベースプレート６０は、略円形状の開口部６０ａを有する平板部６０ｂと、開口部６０ａの縁に沿って上方に屈曲する半円筒形状の半円筒部６０ｃを備えている。バンド５８とベースプレート６０は、半円筒部６０ｃの外周面と湾曲部５８ａの内周面を溶接することによって、互いに固定されている。集塵カバー２は、締結具５８ｃを緩めてバンド５８を拡径させた状態で、バンド５８をベアリングボックス１２のカバー取り付け部５０の外周面に取り付け、その後に締結具５８ｃを締めてバンド５８を縮径させることで、ベアリングボックス１２に対して固定される。
【００３４】
カバー本体５４は、固定カバー部６２と、可動カバー部６４と、カバー開閉機構６６を備えている。固定カバー部６２は、ベース５２の下方に配置されている。固定カバー部６２は、締結具６８ａ、６８ｂ、６８ｃ、６８ｄを介して、ベース５２のベースプレート６０に固定されている。可動カバー部６４は、固定カバー部６２の前方に配置されている。固定カバー部６２と可動カバー部６４は、互いに組み合わされた時に皿型の形状となるように形成されている。固定カバー部６２の外縁下方と、可動カバー部６４の外縁下方には、集塵ブラシ７０（図２参照）が設けられている。グラインダ４によってワークを研削する際には、固定カバー部６２と、可動カバー部６４と、集塵ブラシ７０によって、ダイヤモンドカップ６の周囲が覆われる。なお、固定カバー部６２には、ノズル５６が一体的に形成されている。ノズル５６の内部の空間は、固定カバー部６２の内側の空間と連通している。ノズル５６には、集塵機（図示せず）から伸びるホース（図示せず）を取り付けることができる。
【００３５】
図５に示すように、カバー開閉機構６６は、操作部材７２と、弾性部材７４を備えている。
【００３６】
図６に示すように、操作部材７２は、上方から平面視した時に後方が開口した略Π字形状を有する平板状の基部７２ａと、基部７２ａに形成されており、前後方向に長手方向を有する長孔７２ｂ、７２ｃと、基部７２ａの後方端部の上面に形成された突起７２ｄ、７２ｅと、基部７２ａよりも上方にオフセットした位置に形成されており、上方から平面視した時に後方が開口した略Π字形状を有する当接部７２ｆと、当接部７２ｆの左右方向の端面に形成されており、上下方向に長手方向を有するカム溝７２ｇ、７２ｈを備えている。
【００３７】
図５に示すように、固定カバー部６２の上面には、締結具６８ａ、６８ｂ、６８ｃ、６８ｄを受け入れるボス６２ａ、６２ｂ、６２ｃ、６２ｄが形成されている。操作部材７２を固定カバー部６２に取り付けた状態では、固定カバー部６２のボス６２ａが操作部材７２の長孔７２ｂを貫通しており、かつ固定カバー部６２のボス６２ｂが操作部材７２の長孔７２ｃを貫通している。ボス６２ａは長孔７２ｂの内部を前後方向に摺動可能であり、ボス６２ｂは長孔７２ｃの内部を前後方向に摺動可能である。これによって、操作部材７２は、固定カバー部６２に対して、前後方向に移動可能に支持されている。
【００３８】
弾性部材７４は、引張ばね７４ａ、７４ｂを備えている。また、固定カバー部６２の上面には、突起６２ｅ、６２ｆが形成されている。操作部材７２を固定カバー部６２に取り付けた状態では、固定カバー部６２の突起６２ｅと操作部材７２の突起７２ｄが引張ばね７４ａによって接続されており、かつ固定カバー部６２の突起６２ｆと操作部材７２の突起７２ｅが引張ばね７４ｂによって接続されている。引張ばね７４ａ、７４ｂは、操作部材７２を固定カバー部６２に対して前方に向けて付勢する。
【００３９】
図７に示すように、可動カバー部６４の後方端部には、左右方向の端部近傍に回動シャフト６４ａ、６４ｂが形成されている。回動シャフト６４ａ、６４ｂは、左右方向に軸方向を有する略円柱形状に形成されている。図８に示すように、固定カバー部６２の前方端部には、左右方向の端部近傍に、保持部６２ｇ、６２ｈが形成されている。保持部６２ｇ、６２ｈには、可動カバー部６４の回動シャフト６４ａ、６４ｂを着脱可能である。可動カバー部６４を固定カバー部６２に取り付けた状態では、保持部６２ｇ、６２ｈが回動シャフト６４ａ、６４ｂを回動可能に保持する。従って、可動カバー部６４を固定カバー部６２に取り付けた状態では、可動カバー部６４は固定カバー部６２に対して、左右方向に沿った回動軸周りに回動可能である。
【００４０】
図７に示すように、可動カバー部６４には、操作部材７２のカム溝７２ｇ、７２ｈに対応するカム突起６４ｃ、６４ｄと、カム突起６４ｃ、６４ｄを支持するアーム６４ｅ、６４ｆが形成されている。カム突起６４ｃ、６４ｄは、回動シャフト６４ａ、６４ｂよりも前方であり、かつ回動シャフト６４ａ、６４ｂよりも上方の位置に配置されている。図５に示すように、可動カバー部６４と操作部材７２を固定カバー部６２に取り付けた状態では、可動カバー部６４のカム突起６４ｃは、操作部材７２のカム溝７２ｇに入り込んでおり、可動カバー部６４のカム突起６４ｄは、操作部材７２のカム溝７２ｈに入り込んでいる。カム突起６４ｃ、６４ｄは、カム溝７２ｇ、７２ｈの内部を上下方向に摺動可能である。
【００４１】
図５に示すように、操作部材７２の当接部７２ｆに外力が作用していない状態では、弾性部材７４の付勢力によって、操作部材７２は固定カバー部６２に対して前方の位置に移動している。この状態では、可動カバー部６４は固定カバー部６２に対して閉じられている。また、この状態では、操作部材７２の当接部７２ｆは、可動カバー部６４の前方の端部よりも前方の位置に配置されている。
【００４２】
図９に示すように、操作部材７２の当接部７２ｆに後ろ向きの外力が作用して、弾性部材７４の付勢力に抗して操作部材７２が固定カバー部６２に対して後方の位置に移動すると、可動カバー部６４のカム突起６４ｃ、６４ｄも後方に向けて移動することで、可動カバー部６４が固定カバー部６２に対して開く方向に回動する。このように、本実施例の集塵カバー２では、弾性部材７４の付勢力に抗して操作部材７２を後方に押し込むことで、可動カバー部６４を固定カバー部６２に対して開く方向に回動させることができる。
【００４３】
図１０に示すように、グラインダ４を用いて、壁面Ｗの近傍の床面Ｆを研削する場合がある。このような場合に、本実施例の集塵カバー２では、操作部材７２の当接部７２ｆを壁面Ｗに当接させた状態で、グラインダ４を壁面Ｗに向けて押し込むことで、壁面Ｗから当接部７２ｆに操作部材７２を後方に押し込む外力を作用させる。これによって、図１１に示すように、可動カバー部６４が固定カバー部６２に対して開く方向に回動し、ダイヤモンドカップ６を部分的に露出させることができる。壁面Ｗの近傍の床面Ｆをダイヤモンドカップ６によって研削することができる。なお、壁面Ｗを利用する代わりに、ユーザが操作部材７２の当接部７２ｆを掴んで後方に押し込むことによっても、可動カバー部６４が固定カバー部６２に対して開く方向に回動し、ダイヤモンドカップ６を部分的に露出させることができる。
【００４４】
以上のように、１つまたはそれ以上の実施形態において、グラインダ４（電動工具の例）は、モータ１４と、モータ１４に接続されるベベルギヤ３４（動力伝達機構の例）と、モータ１４およびベベルギヤ３４を収容するハウジング４８と、ベベルギヤ３４に接続されており、ダイヤモンドカップ６（先端工具の例）を保持するスピンドル３２（先端工具保持部の例）と、ダイヤモンドカップ６の少なくとも一部を覆う集塵カバー２（カバーの例）を備えている。集塵カバー２は、ハウジング４８に対して固定された固定カバー部６２と、固定カバー部６２に対して移動可能な可動カバー部６４と、可動カバー部６４と機械的に連結しており、可動カバー部６４を固定カバー部６２に対して移動させる操作部材７２を備えている。
【００４５】
１つまたはそれ以上の実施形態において、集塵カバー２は、モータ１４と、モータ１４に接続されるベベルギヤ３４と、モータ１４およびベベルギヤ３４を収容するハウジング４８と、ベベルギヤ３４に接続されており、ダイヤモンドカップ６を保持するスピンドル３２を備えるグラインダ４（電動工具の例）に、ダイヤモンドカップ６の少なくとも一部を覆うように取り付けられる。集塵カバー２は、ハウジング４８に対して固定された固定カバー部６２と、固定カバー部６２に対して移動可能な可動カバー部６４と、可動カバー部６４と機械的に連結しており、可動カバー部６４を固定カバー部６２に対して移動させる操作部材７２を備えている。
【００４６】
上記のグラインダ４や、上記の集塵カバー２によれば、ユーザは、可動カバー部６４を掴むことなく、操作部材７２を操作することによって、可動カバー部６４を固定カバー部６２に対して移動させることができる。このため、ダイヤモンドカップ６が駆動している時に、可動カバー部６４を移動させようとする場合でも、可動カバー部６４の近傍で駆動しているダイヤモンドカップ６にユーザの手を近づけることなく、可動カバー部６４を移動させることができる。上記のグラインダ４や、上記の集塵カバー２によれば、ユーザの安全性を向上することができる。
【００４７】
１つまたはそれ以上の実施形態において、操作部材７２は、可動カバー部６４およびダイヤモンドカップ６よりも先に壁面Ｗ（障害物の例）に当接する当接部７２ｆを備えている。当接部７２ｆが壁面Ｗによって押し込まれた時に、可動カバー部６４は固定カバー部６２に対して、ダイヤモンドカップ６を露出させる方向に移動する。
【００４８】
上記の構成によれば、例えば壁面Ｗ等の障害物の近傍で、例えば床面Ｆ等のワークに対して作業をする際に、当接部７２ｆを障害物に押し付けることによって、可動カバー部６４を固定カバー部６２に対して移動させて、ダイヤモンドカップ６を露出させることができる。操作部材７２に手を触れることなく、可動カバー部６４を固定カバー部６２に対して移動させることができるので、ユーザの利便性を向上することができる。
【００４９】
１つまたはそれ以上の実施形態において、操作部材７２をユーザが手で操作することによって、可動カバー部６４が固定カバー部６２に対して、ダイヤモンドカップ６を露出させる方向に移動する。
【００５０】
上記の構成によれば、ユーザがダイヤモンドカップ６を露出させたい場合に、自身の手で操作部材７２を操作することで、可動カバー部６４を固定カバー部６２に対して移動させて、ダイヤモンドカップ６を露出させることができる。
【００５１】
１つまたはそれ以上の実施形態において、集塵カバー２は、可動カバー部６４が固定カバー部６２に対して、ダイヤモンドカップ６を覆う方向に移動するように、操作部材７２を付勢する弾性部材７４（付勢部材の例）をさらに備えている。
【００５２】
上記の構成によれば、操作部材７２に対して外力が作用していない場合に、弾性部材７４の付勢力によって、可動カバー部６４が固定カバー部６２に対して移動して、ダイヤモンドカップ６が覆われる。上記の構成によれば、ダイヤモンドカップ６が露出した状態のまま放置されることがないので、ユーザの安全性をより向上することができる。
【００５３】
１つまたはそれ以上の実施形態において、ダイヤモンドカップ６は、ハウジング４８に対して回転軸周りに回転可能である。操作部材７２は、固定カバー部６２に対してダイヤモンドカップ６の回転軸に略直交するスライド方向（例えば前後方向）に沿って移動可能である。
【００５４】
ダイヤモンドカップ６の少なくとも一部を覆う集塵カバー２は、ダイヤモンドカップ６の回転軸に直交する方向（前後方向および左右方向）に広がりのある形状を有している。上記の構成によれば、操作部材７２の移動方向を、集塵カバー２の外形形状に沿った方向とすることができ、集塵カバー２を小型化することができる。
【００５５】
１つまたはそれ以上の実施形態において、可動カバー部６４は、固定カバー部６２に対してダイヤモンドカップ６の回転軸および操作部材７２のスライド方向に略直交する回動軸（例えば左右方向）周りに回動可能である。
【００５６】
上記の構成によれば、可動カバー部６４を固定カバー部６２に対して回動させた時に、可動カバー部６４がダイヤモンドカップ６やワークから遠ざかる方向に移動するので、可動カバー部６４が作業の邪魔になることを抑制することができる。
【００５７】
１つまたはそれ以上の実施形態において、操作部材７２および可動カバー部６４の一方（例えば操作部材７２）は、カム溝７２ｇ，７２ｈを備えている。操作部材７２および可動カバー部６４の他方（例えば可動カバー部６４）は、カム溝７２ｇ，７２ｈの内部を摺動可能なカム突起６４ｃ，６４ｄを備えている。操作部材７２を固定カバー部６２に対してスライド方向に移動させると、可動カバー部６４が回動軸周りに回動する。
【００５８】
上記の構成によれば、簡素な構成によって、操作部材７２の移動に連動した可動カバー部６４の回動を実現することができる。
【００５９】
（実施例２）
本実施例の集塵カバー１０２は、実施例１の集塵カバー２と同様に、グラインダ４に取り付けて使用される。以下では本実施例の集塵カバー１０２について、実施例１の集塵カバー２と相違する点のみについて詳細に説明する。
【００６０】
図１２、図１３に示すように、本実施例の集塵カバー１０２では、カバー本体５４が、固定カバー部１０４と、第１可動カバー部１０６と、第２可動カバー部１０８と、カバー開閉機構１１０を備えている。固定カバー部１０４は、ベース５２の下方に配置されている。固定カバー部１０４は、締結具１１２ａ、１１２ｂ、１１２ｃを介して、ベース５２のベースプレート６０に固定されている。また、ノズル５６は、固定カバー部１０４と一体的に形成されている。ノズル５６の内部の空間は、固定カバー部１０４の内側の空間と連通している。
【００６１】
第１可動カバー部１０６と、第２可動カバー部１０８は、固定カバー部１０４の前方に配置されている。固定カバー部１０４と、第１可動カバー部１０６と、第２可動カバー部１０８は、互いに組み合わされた時に皿型の形状となるように形成されている。固定カバー部１０４の外縁下方と、第１可動カバー部１０６の外縁下方と、第２可動カバー部１０８の外縁下方には、集塵ブラシ７０（図１３参照）が設けられている。グラインダ４によってワークを研削する際には、固定カバー部１０４と、第１可動カバー部１０６と、第２可動カバー部１０８と、集塵ブラシ７０によって、ダイヤモンドカップ６の周囲が覆われる。
【００６２】
図１４に示すように、カバー開閉機構１１０は、操作部材１１４と、弾性部材１１６を備えている。操作部材１１４は、上方から平面視した時に略長方形状を有する略平板枠状の部材である。操作部材１１４は、後方中央の上面に形成された突起１１４ａと、前後方向に長手方向を有する長孔１１４ｂ、１１４ｃと、前方端部に形成された当接部１１４ｄと、左右方向に長手方向を有する長孔であるカム溝１１４ｅ、１１４ｆを備えている。固定カバー部１０４の上面には、締結具１１２ａ、１１２ｂ、１１２ｃを受け入れるボス１０４ａ、１０４ｂ、１０４ｃが形成されている。操作部材１１４を固定カバー部１０４に取り付けた状態では、固定カバー部１０４のボス１０４ｂが操作部材１１４の長孔１１４ｂを貫通しており、かつ固定カバー部１０４のボス１０４ｃが操作部材１１４の長孔１１４ｃを貫通している。ボス１０４ｂは長孔１１４ｂの内部を前後方向に摺動可能であり、ボス１０４ｃは長孔１１４ｃの内部を前後方向に摺動可能である。これによって、操作部材１１４は、固定カバー部１０４に対して、前後方向に移動可能に支持されている。
【００６３】
固定カバー部１０４の上面には、突起１０４ｄが形成されている。弾性部材１１６は、例えば引張ばねであって、固定カバー部１０４の突起１０４ｄと操作部材１１４の突起１１４ａの間を接続している。弾性部材１１６は、操作部材１１４を固定カバー部１０４に対して前方に向けて付勢する。
【００６４】
図１５に示すように、第１可動カバー部１０６は、略円環状に形成された円環部１０６ａと、第１可動カバー部１０６の上面に形成されたカム突起１０６ｂを備えている。図１６に示すように、第２可動カバー部１０８は、略円環状に形成された円環部１０８ａと、第２可動カバー部１０８の上面に形成されたカム突起１０８ｂを備えている。図１４に示すように、固定カバー部１０４の上面には、第１可動カバー部１０６の円環部１０６ａおよび第２可動カバー部１０８の円環部１０８ａに対応して、略円筒状に上方に突出する円筒部１０４ｅが形成されている。第１可動カバー部１０６と第２可動カバー部１０８は、固定カバー部１０４の円筒部１０４ｅに第２可動カバー部１０８の円環部１０８ａを取り付け、その後に固定カバー部１０４の円筒部１０４ｅに第１可動カバー部１０６の円環部１０６ａを取り付けることで、固定カバー部１０４に対して取り付けられている。第１可動カバー部１０６と第２可動カバー部１０８を固定カバー部１０４に取り付けた状態では、円筒部１０４ｅが円環部１０６ａと円環部１０８ａを回動可能に保持する。従って、第１可動カバー部１０６と第２可動カバー部１０８を固定カバー部１０４に取り付けた状態では、第１可動カバー部１０６と第２可動カバー部１０８は、互いに干渉しない範囲で、円筒部１０４ｅの軸方向（すなわち上下方向）を回動軸として、固定カバー部１０４に対して回動可能である。なお、固定カバー部１０４の上面には、第１可動カバー部１０６の回動範囲を規制するストッパ１０４ｆ、１０４ｇと、第２可動カバー部１０８の回動範囲を規制するストッパ１０４ｈ、１０４ｉが形成されている。第１可動カバー部１０６は、ストッパ１０４ｆ、１０４ｇと干渉しない範囲で、固定カバー部１０４に対して回動可能である。第２可動カバー部１０８は、ストッパ１０４ｈ、１０４ｉと干渉しない範囲で、固定カバー部１０４に対して回動可能である。図１６に示すように、第２可動カバー部１０８には、ノズル５６との干渉を回避するための切り欠き１０８ｃが形成されている。
【００６５】
図１４に示すように、第１可動カバー部１０６と、第２可動カバー部１０８と、操作部材１１４を固定カバー部１０４に取り付けた状態では、第１可動カバー部１０６のカム突起１０６ｂは、操作部材１１４のカム溝１１４ｅに入り込んでおり、第２可動カバー部１０８のカム突起１０８ｂは、操作部材１１４のカム溝１１４ｆに入り込んでいる。カム突起１０６ｂ、１０８ｂは、カム溝１１４ｅ、１１４ｆの内部を左右方向に摺動可能である。
【００６６】
操作部材１１４の当接部１１４ｄに外力が作用していない状態では、弾性部材１１６の付勢力によって、操作部材１１４は固定カバー部１０４に対して前方の位置に移動している。この状態では、第１可動カバー部１０６と第２可動カバー部１０８は、固定カバー部１０４に対して閉じられている。また、この状態では、操作部材１１４の当接部１１４ｄは、第１可動カバー部１０６の前方の端部および第２可動カバー部１０８の前方の端部よりも前方の位置に配置されている。
【００６７】
図１７に示すように、操作部材１１４の当接部１１４ｄに後ろ向きの外力が作用して、弾性部材１１６の付勢力に抗して操作部材１１４が固定カバー部１０４に対して後方の位置に移動すると、第１可動カバー部１０６のカム突起１０６ｂと、第２可動カバー部１０８のカム突起１０８ｂも後方に向けて移動することで、第１可動カバー部１０６と第２可動カバー部１０８が固定カバー部１０４に対して開く方向に回動する。このように、本実施例の集塵カバー１０２では、弾性部材１１６の付勢力に抗して操作部材１１４を後方に押し込むことで、第１可動カバー部１０６と第２可動カバー部１０８を固定カバー部１０４に対して開く方向に回動させることができる。
【００６８】
図１８に示すように、グラインダ４を用いて、壁面Ｗの近傍の床面Ｆを研削する場合がある。このような場合に、本実施例の集塵カバー１０２では、操作部材１１４の当接部１１４ｄを壁面Ｗに当接させた状態で、グラインダ４を壁面Ｗに向けて押し込むことで、壁面Ｗから当接部１１４ｄに操作部材１１４を後方に押し込む外力を作用させる。これによって、図１９に示すように、第１可動カバー部１０６と第２可動カバー部１０８を固定カバー部１０４に対して開く方向に回動し、ダイヤモンドカップ６を部分的に露出させることができる。壁面Ｗの近傍の床面Ｆをダイヤモンドカップ６によって研削することができる。なお、壁面Ｗを利用する代わりに、ユーザが操作部材１１４の当接部１１４ｄを掴んで後方に押し込むことによっても、第１可動カバー部１０６と第２可動カバー部１０８が固定カバー部１０４に対して開く方向に回動し、ダイヤモンドカップ６を部分的に露出させることができる。
【００６９】
以上のように、１つまたはそれ以上の実施形態において、グラインダ４（電動工具の例）は、モータ１４と、モータ１４に接続されるベベルギヤ３４（動力伝達機構の例）と、モータ１４およびベベルギヤ３４を収容するハウジング４８と、ベベルギヤ３４に接続されており、ダイヤモンドカップ６（先端工具の例）を保持するスピンドル３２（先端工具保持部の例）と、ダイヤモンドカップ６の少なくとも一部を覆う集塵カバー１０２（カバーの例）を備えている。集塵カバー１０２は、ハウジング４８に対して固定された固定カバー部１０４と、固定カバー部１０４に対して移動可能な第１可動カバー部１０６、第２可動カバー部１０８（可動カバー部の例）と、第１可動カバー部１０６、第２可動カバー部１０８と機械的に連結しており、第１可動カバー部１０６、第２可動カバー部１０８を固定カバー部１０４に対して移動させる操作部材１１４を備えている。
【００７０】
１つまたはそれ以上の実施形態において、集塵カバー１０２は、モータ１４と、モータ１４に接続されるベベルギヤ３４と、モータ１４およびベベルギヤ３４を収容するハウジング４８と、ベベルギヤ３４に接続されており、ダイヤモンドカップ６を保持するスピンドル３２を備えるグラインダ４に、ダイヤモンドカップ６の少なくとも一部を覆うように取り付けられる。集塵カバー１０２は、ハウジング４８に対して固定された固定カバー部１０４と、固定カバー部１０４に対して移動可能な第１可動カバー部１０６、第２可動カバー部１０８と、第１可動カバー部１０６、第２可動カバー部１０８と機械的に連結しており、第１可動カバー部１０６、第２可動カバー部１０８を固定カバー部１０４に対して移動させる操作部材１１４を備えている。
【００７１】
上記のグラインダ４や、上記の集塵カバー１０２によれば、ユーザは、第１可動カバー部１０６、第２可動カバー部１０８を掴むことなく、操作部材１１４を操作することによって、第１可動カバー部１０６、第２可動カバー部１０８を固定カバー部１０４に対して移動させることができる。このため、ダイヤモンドカップ６が駆動している時に、第１可動カバー部１０６、第２可動カバー部１０８を移動させようとする場合でも、第１可動カバー部１０６、第２可動カバー部１０８の近傍で駆動しているダイヤモンドカップ６にユーザの手を近づけることなく、第１可動カバー部１０６、第２可動カバー部１０８を移動させることができる。上記のグラインダ４や、上記の集塵カバー１０２によれば、ユーザの安全性を向上することができる。
【００７２】
１つまたはそれ以上の実施形態において、操作部材１１４は、第１可動カバー部１０６、第２可動カバー部１０８およびダイヤモンドカップ６よりも先に壁面Ｗ（障害物の例）に当接する当接部１１４ｄを備えている。当接部１１４ｄが壁面Ｗによって押し込まれた時に、第１可動カバー部１０６、第２可動カバー部１０８は固定カバー部１０４に対して、ダイヤモンドカップ６を露出させる方向に移動する。
【００７３】
上記の構成によれば、例えば壁面Ｗ等の障害物の近傍で、例えば床面Ｆ等のワークに対して作業をする際に、当接部１１４ｄを障害物に押し付けることによって、第１可動カバー部１０６、第２可動カバー部１０８を固定カバー部１０４に対して移動させて、ダイヤモンドカップ６を露出させることができる。操作部材１１４に手を触れることなく、第１可動カバー部１０６、第２可動カバー部１０８を固定カバー部１０４に対して移動させることができるので、ユーザの利便性を向上することができる。
【００７４】
１つまたはそれ以上の実施形態において、操作部材１１４をユーザが手で操作することによって、第１可動カバー部１０６、第２可動カバー部１０８が固定カバー部１０４に対して、ダイヤモンドカップ６を露出させる方向に移動する。
【００７５】
上記の構成によれば、ユーザがダイヤモンドカップ６を露出させたい場合に、自身の手で操作部材１１４を操作することで、第１可動カバー部１０６、第２可動カバー部１０８が固定カバー部１０４に対して移動させて、ダイヤモンドカップ６を露出させることができる。
【００７６】
１つまたはそれ以上の実施形態において、集塵カバー１０２は、第１可動カバー部１０６、第２可動カバー部１０８が固定カバー部１０４に対して、ダイヤモンドカップ６を覆う方向に移動するように、操作部材１１４を付勢する弾性部材１１６（付勢部材の例）をさらに備えている。
【００７７】
上記の構成によれば、操作部材１１４に対して外力が作用していない場合に、弾性部材１１６の付勢力によって、第１可動カバー部１０６、第２可動カバー部１０８が固定カバー部１０４に対して移動して、ダイヤモンドカップ６が覆われる。上記の構成によれば、ダイヤモンドカップ６が露出した状態のまま放置されることがないので、ユーザの安全性をより向上することができる。
【００７８】
１つまたはそれ以上の実施形態において、ダイヤモンドカップ６は、ハウジング４８に対して回転軸周りに回転可能である。操作部材１１４は、固定カバー部１０４に対してダイヤモンドカップ６の回転軸に略直交するスライド方向（例えば前後方向）に沿って移動可能である。
【００７９】
ダイヤモンドカップ６の少なくとも一部を覆う集塵カバー１０２は、ダイヤモンドカップ６の回転軸に直交する方向（前後方向および左右方向）に広がりのある形状を有している。上記の構成によれば、操作部材１１４の移動方向を、集塵カバー１０２の外形形状に沿った方向とすることができ、集塵カバー１０２を小型化することができる。
【００８０】
１つまたはそれ以上の実施形態において、第１可動カバー部１０６、第２可動カバー部１０８は、固定カバー部１０４に対してダイヤモンドカップ６の回転軸に略平行な（例えば上下方向に伸びる）回動軸周りに回動可能である。
【００８１】
上記の構成によれば、第１可動カバー部１０６、第２可動カバー部１０８を固定カバー部１０４に対して回動させた時に、第１可動カバー部１０６、第２可動カバー部１０８がダイヤモンドカップ６やワークから遠ざかる方向に移動するので、第１可動カバー部１０６、第２可動カバー部１０８が作業の邪魔になることを抑制することができる。
【００８２】
１つまたはそれ以上の実施形態において、操作部材１１４および第１可動カバー部１０６、第２可動カバー部１０８の一方（例えば操作部材１１４）は、カム溝１１４ｅ，１１４ｆを備えている。操作部材１１４および第１可動カバー部１０６、第２可動カバー部１０８の他方（例えば第１可動カバー部１０６、第２可動カバー部１０８）は、カム溝１１４ｅ，１１４ｆの内部を摺動可能なカム突起１０６ｂ，１０６ｃを備えている。操作部材１１４を固定カバー部１０４に対してスライド方向に移動させると、第１可動カバー部１０６、第２可動カバー部１０８が回動軸周りに回動する。
【００８３】
上記の構成によれば、簡素な構成によって、操作部材１１４の移動に連動した第１可動カバー部１０６、第２可動カバー部１０８の回動を実現することができる。
【００８４】
（実施例３）
本実施例の集塵カバー２０２は、実施例１の集塵カバー２と同様に、グラインダ４に取り付けて使用される。以下では本実施例の集塵カバー２０２について、実施例１の集塵カバー２と相違する点のみについて詳細に説明する。
【００８５】
図２１、図２２に示すように、本実施例の集塵カバー２０２では、カバー本体５４が、固定カバー部２０４と、可動カバー部２０６と、カバー開閉機構２０８を備えている。固定カバー部２０４は、ベース５２の下方に配置されている。固定カバー部２０４は、締結具２１０ａ、２１０ｂ、２１０ｃ、２１０ｄを介して、ベース５２のベースプレート６０に固定されている。また、ノズル５６は、固定カバー部２０４と一体的に形成されている。ノズル５６の内部の空間は、固定カバー部２０４の内側の空間と連通している。
【００８６】
可動カバー部２０６は、固定カバー部２０４の前方に配置されている。固定カバー部２０４は、下方から平面視した時に外縁が略Ｕ字形状を有しており、下方および前方が開口した箱状の形状を有している。可動カバー部２０６は、固定カバー部２０４の前方の開口を閉塞する略平板状の蓋形状を有している。固定カバー部２０４の外縁下方と、可動カバー部２０６の下方には、集塵ブラシ７０（図２１参照）が設けられている。グラインダ４によってワークを研削する際には、固定カバー部２０４と、可動カバー部２０６と、集塵ブラシ７０によって、ダイヤモンドカップ６の周囲が覆われる。
【００８７】
図２２に示すように、カバー開閉機構２０８は、操作部材２１２と、弾性部材２１４を備えている。操作部材２１２は、固定カバー部２０４の前方上面に沿った形状を有する基部２１２ａと、基部２１２ａに形成されており、前後方向に長手方向を有する長孔２１２ｂ、２１２ｃと、左右方向に長手方向を有する回動シャフト２１２ｄと、回動シャフト２１２ｄを介して可動カバー部２０６の上方端部と連結した保持部２１２ｅと、固定カバー部２０４の左右方向の端面の外側に伸びる側壁部２１２ｆ、２１２ｇと、側壁部２１２ｆ、２１２ｇから後方に向けて伸びるアーム部２１２ｈ、２１２ｉを備えている。
【００８８】
図２３に示すように、側壁部２１２ｆの内側には、前後方向に長手方向を有するガイド突起２１４ａが形成されている。また、側壁部２１２ｆから伸びるアーム部２１２ｈの内側には、上下方向に長手方向を有する係合突起２１６ａが形成されている。なお、側壁部２１２ｆおよびアーム部２１２ｈと、側壁部２１２ｇおよびアーム部２１２ｉは、集塵カバー２０２の中央を挟んで左右対称な形状を有している。すなわち、側壁部２１２ｇの内側には、前後方向に長手方向を有するガイド突起２１４ｂが形成されている。また、側壁部２１２ｇから伸びるアーム部２１２ｉの内側には、上下方向に長手方向を有する係合突起２１６ｂが形成されている。
【００８９】
図２４に示すように、固定カバー部２０４の左方向の端面には、ガイド突起２１４ａに対応して、前後方向に長手方向を有するガイド溝２１８ａが形成されている。また、固定カバー部２０４の左方向の端面には、係合突起２１６ａに対応して、上下方向に長手方向を有する第１係合溝２２０ａと第２係合溝２２２ａが形成されている。第１係合溝２２０ａは、第２係合溝２２２ａよりも前方の位置に配置されている。なお、同様に、固定カバー部２０４の右方向の端面には、ガイド突起２１４ｂに対応して、前後方向に長手方向を有するガイド溝２１８ｂが形成されている。また、固定カバー部２０４の右方向の端面には、係合突起２１６ｂに対応して、上下方向に長手方向を有する第１係合溝２２０ｂと第２係合溝２２２ｂが形成されている。第１係合溝２２０ｂは、第２係合溝２２２ｂよりも前方の位置に配置されている。
【００９０】
図２２に示すように、固定カバー部２０４の上面には、締結具２１０ａ、２１０ｂ、２１０ｃ、２１０ｄを受け入れるボス２０４ａ、２０４ｂ、２０４ｃ、２０４ｄが形成されている。操作部材２１２を固定カバー部２０４に取り付けた状態では、固定カバー部２０４のボス２０４ａが操作部材２１２の長孔２１２ｂを貫通しており、かつ固定カバー部２０４のボス２０４ｂが操作部材２１２の長孔２１２ｃを貫通している。ボス２０４ａは長孔２１２ｂの内部を前後方向に摺動可能であり、ボス２０４ｂは長孔２１２ｃの内部を前後方向に摺動可能である。また、操作部材２１２を固定カバー部２０４に取り付けた状態では、操作部材２１２のガイド突起２１４ａ（図２３参照）が、固定カバー部２０４のガイド溝２１８ａ（図２４参照）に入り込み、かつ操作部材２１２のガイド突起２１４ｂが、固定カバー部２０４のガイド溝２１８ｂに入り込んでいる。ガイド突起２１４ａはガイド溝２１８ａの内部を前後方向に摺動可能であり、ガイド突起２１４ｂはガイド溝２１８ｂの内部を前後方向に摺動可能である。これによって、操作部材２１２は、固定カバー部２０４に対して、前後方向に移動可能に支持されている。
【００９１】
操作部材２１２を固定カバー部２０４に取り付けた状態では、操作部材２１２の係合突起２１６ａ、２１６ｂ（図２３参照）を、固定カバー部２０４の第１係合溝２２０ａ、２２０ｂ（図２４参照）または第２係合溝２２２ａ、２２２ｂ（図２４参照）に係合させることで、操作部材２１２を固定カバー部２０４に対して固定することができる。以下では、操作部材２１２の係合突起２１６ａ、２１６ｂを、固定カバー部２０４の第１係合溝２２０ａ、２２０ｂに係合させた時の操作部材２１２の位置を前進位置ともいい、操作部材２１２の係合突起２１６ａ、２１６ｂを、固定カバー部２０４の第２係合溝２２２ａ、２２２ｂに係合させた時の操作部材２１２の位置を後退位置ともいう。なお、操作部材２１２には、後退位置まで移動した時にノズル５６と干渉しないように、切り欠き２１２ｊが形成されている。
【００９２】
図２０に示すように、弾性部材２１４は、例えば捩りばねであって、操作部材２１２に対して可動カバー部２０６を閉じる方向に付勢している。操作部材２１２が前進位置にある場合には、可動カバー部２０６は、弾性部材２１４の付勢力によって、固定カバー部２０４に対して閉じられている。
【００９３】
この状態から、操作部材２１２の係合突起２１６ａ、２１６ｂを、固定カバー部２０４の第１係合溝２２０ａ、２２０ｂから離脱させて、操作部材２１２を固定カバー部２０４に対して後方に移動させると、可動カバー部２０６の上方端部が操作部材２１２と一体的に後方に移動する。可動カバー部２０６の後方端面が、固定カバー部２０４の前方端面に当接して、可動カバー部２０６は上方の回動シャフト２１２ｄの軸方向周りに開く方向に回動しながら、固定カバー部２０４の上面に乗り上げる。図２５に示すように、操作部材２１２を後退位置まで移動させて、操作部材２１２の係合突起２１６ａ、２１６ｂを、固定カバー部２０４の第２係合溝２２２ａ、２２２ｂに係合させると、可動カバー部２０６は完全に開いた状態となる。
【００９４】
図２６に示すように、操作部材２１２が前進位置にある場合、ダイヤモンドカップ６は、集塵カバー２０２によって、周囲を覆われている。これに対して、図２７に示すように、操作部材２１２が後退位置にある場合には、ダイヤモンドカップ６は、集塵カバー２０２から部分的に露出する。
【００９５】
以上のように、１つまたはそれ以上の実施形態において、グラインダ４（電動工具の例）は、モータ１４と、モータ１４に接続されるベベルギヤ３４（動力伝達機構の例）と、モータ１４およびベベルギヤ３４を収容するハウジング４８と、ベベルギヤ３４に接続されており、ダイヤモンドカップ６（先端工具の例）を保持するスピンドル３２（先端工具保持部の例）と、ダイヤモンドカップ６の少なくとも一部を覆う集塵カバー２０２（カバーの例）を備えている。集塵カバー２０２は、ハウジング４８に対して固定された固定カバー部２０４と、固定カバー部２０４に対して移動可能な可動カバー部２０６と、可動カバー部２０６と機械的に連結しており、可動カバー部２０６を固定カバー部２０４に対して移動させる操作部材２１２を備えている。
【００９６】
１つまたはそれ以上の実施形態において、集塵カバー２０２は、モータ１４と、モータ１４に接続されるベベルギヤ３４と、モータ１４およびベベルギヤ３４を収容するハウジング４８と、ベベルギヤ３４に接続されており、ダイヤモンドカップ６を保持するスピンドル３２を備えるグラインダ４に、ダイヤモンドカップ６の少なくとも一部を覆うように取り付けられる。集塵カバー２０２は、ハウジング４８に対して固定された固定カバー部２０４と、固定カバー部２０４に対して移動可能な可動カバー部２０６と、可動カバー部２０６と機械的に連結しており、可動カバー部２０６を固定カバー部２０４に対して移動させる操作部材２１２を備えている。
【００９７】
上記のグラインダ４や、上記の集塵カバー２０２によれば、ユーザは、可動カバー部２０６を掴むことなく、操作部材２１２を操作することによって、可動カバー部２０６を固定カバー部２０４に対して移動させることができる。このため、ダイヤモンドカップ６が駆動している時に、可動カバー部２０６を移動させようとする場合でも、可動カバー部２０６の近傍で駆動しているダイヤモンドカップ６にユーザの手を近づけることなく、可動カバー部２０６を移動させることができる。上記のグラインダ４や、上記の集塵カバー２０２によれば、ユーザの安全性を向上することができる。
【００９８】
１つまたはそれ以上の実施形態において、操作部材２１２をユーザが手で操作することによって、可動カバー部２０６が固定カバー部２０４に対して、ダイヤモンドカップ６を露出させる方向に移動する。
【００９９】
上記の構成によれば、ユーザがダイヤモンドカップ６を露出させたい場合に、自身の手で操作部材２１２を操作することで、可動カバー部２０６を固定カバー部２０４に対して移動させて、ダイヤモンドカップ６を露出させることができる。
【０１００】
１つまたはそれ以上の実施形態において、ダイヤモンドカップ６は、ハウジング４８に対して回転軸周りに回転可能である。操作部材２１２は、固定カバー部２０４に対してダイヤモンドカップ６の回転軸に略直交するスライド方向（例えば前後方向）に沿って移動可能である。
【０１０１】
ダイヤモンドカップ６の少なくとも一部を覆う集塵カバー２０２は、ダイヤモンドカップ６の回転軸に直交する方向（前後方向および左右方向）に広がりのある形状を有している。上記の構成によれば、操作部材２１２の移動方向を、集塵カバー２０２の外形形状に沿った方向とすることができ、集塵カバー２０２を小型化することができる。
【０１０２】
１つまたはそれ以上の実施形態において、可動カバー部２０６は、固定カバー部２０４に対してダイヤモンドカップ６の回転軸および操作部材２１２のスライド方向に略直交する回動軸（例えば左右方向）周りに回動可能である。
【０１０３】
上記の構成によれば、可動カバー部２０６を固定カバー部２０４に対して回動させた時に、可動カバー部２０６がダイヤモンドカップ６やワークから遠ざかる方向に移動するので、可動カバー部２０６が作業の邪魔になることを抑制することができる。
【０１０４】
上記の各実施例では、電動工具がグラインダ４であり、先端工具がダイヤモンドカップ６であり、先端工具保持部がスピンドル３２であり、カバーが集塵カバー２，１０２，２０２である場合を例として説明したが、電動工具は他の種類の電動工具であってもよいし、先端工具は他の種類の先端工具であってもよいし、先端工具保持部は他の種類の先端工具保持部であってもよいし、カバーは他の種類のカバーであってもよい。また、上記の各実施例では、電動工具であるグラインダ４が、電源コード２４から交流電力を供給されて動作する構成について説明したが、これとは異なり、電動工具であるグラインダ４は、本体ハウジング８に取り付けられたバッテリから直流電力を供給されて動作する構成としてもよい。
【０１０５】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【０１０６】
２        ：集塵カバー
４        ：グラインダ
６        ：ダイヤモンドカップ
８        ：本体ハウジング
１０      ：ギヤハウジング
１２      ：ベアリングボックス
１４      ：モータ
１６      ：出力軸
１８      ：ベアリング
２０      ：ベアリング
２２      ：電源回路
２４      ：電源コード
２６      ：スイッチ
２８      ：第１ベベルギヤ
３０      ：第２ベベルギヤ
３２      ：スピンドル
３４      ：ベベルギヤ
３６      ：ベアリング
３８      ：シャフトロック
４０      ：ベアリング
４２      ：ベアリング
４４      ：インナフランジ
４６      ：アウタフランジ
４８      ：ハウジング
５０      ：カバー取り付け部
５２      ：ベース
５４      ：カバー本体
５６      ：ノズル
５８      ：バンド
５８ａ    ：湾曲部
５８ｂ    ：平板部
５８ｃ    ：締結具
６０      ：ベースプレート
６０ａ    ：開口部
６０ｂ    ：平板部
６０ｃ    ：半円筒部
６２      ：固定カバー部
６２ａ    ：ボス
６２ｂ    ：ボス
６２ｃ    ：ボス
６２ｄ    ：ボス
６２ｅ    ：突起
６２ｆ    ：突起
６２ｇ    ：保持部
６２ｈ    ：保持部
６４      ：可動カバー部
６４ａ    ：回動シャフト
６４ｂ    ：回動シャフト
６４ｃ    ：カム突起
６４ｄ    ：カム突起
６４ｅ    ：アーム
６４ｆ    ：アーム
６６      ：カバー開閉機構
６８ａ    ：締結具
６８ｂ    ：締結具
６８ｃ    ：締結具
６８ｄ    ：締結具
７０      ：集塵ブラシ
７２      ：操作部材
７２ａ    ：基部
７２ｂ    ：長孔
７２ｃ    ：長孔
７２ｄ    ：突起
７２ｅ    ：突起
７２ｆ    ：当接部
７２ｇ    ：カム溝
７２ｈ    ：カム溝
７４      ：弾性部材
７４ａ    ：引張ばね
７４ｂ    ：引張ばね
１０２    ：集塵カバー
１０４    ：固定カバー部
１０４ａ  ：ボス
１０４ｂ  ：ボス
１０４ｃ  ：ボス
１０４ｄ  ：突起
１０４ｅ  ：円筒部
１０４ｆ  ：ストッパ
１０４ｇ  ：ストッパ
１０４ｈ  ：ストッパ
１０４ｉ  ：ストッパ
１０６    ：第１可動カバー部
１０６ａ  ：円環部
１０６ｂ  ：カム突起
１０８    ：第２可動カバー部
１０８ａ  ：円環部
１０８ｂ  ：カム突起
１０８ｃ  ：切り欠き
１１０    ：カバー開閉機構
１１２ａ  ：締結具
１１２ｂ  ：締結具
１１２ｃ  ：締結具
１１４    ：操作部材
１１４ａ  ：突起
１１４ｂ  ：長孔
１１４ｃ  ：長孔
１１４ｄ  ：当接部
１１４ｅ  ：カム溝
１１４ｆ  ：カム溝
１１６    ：弾性部材
２０２    ：集塵カバー
２０４    ：固定カバー部
２０４ａ  ：ボス
２０４ｂ  ：ボス
２０４ｃ  ：ボス
２０４ｄ  ：ボス
２０６    ：可動カバー部
２０８    ：カバー開閉機構
２１０ａ  ：締結具
２１０ｂ  ：締結具
２１０ｃ  ：締結具
２１０ｄ  ：締結具
２１２    ：操作部材
２１２ａ  ：基部
２１２ｂ  ：長孔
２１２ｃ  ：長孔
２１２ｄ  ：回動シャフト
２１２ｅ  ：保持部
２１２ｆ  ：側壁部
２１２ｇ  ：側壁部
２１２ｈ  ：アーム部
２１２ｉ  ：アーム部
２１２ｊ  ：切り欠き
２１４    ：弾性部材
２１４ａ  ：ガイド突起
２１４ｂ  ：ガイド突起
２１６ａ  ：係合突起
２１６ｂ  ：係合突起
２１８ａ  ：ガイド溝
２１８ｂ  ：ガイド溝
２２０ａ  ：第１係合溝
２２０ｂ  ：第１係合溝
２２２ａ  ：第２係合溝
２２２ｂ  ：第２係合溝
【図１】
2019181625.tif 000003
【図２】
2019181625.tif 000004
【図３】
2019181625.tif 000005
【図４】
2019181625.tif 000006
【図５】
2019181625.tif 000007
【図６】
2019181625.tif 000008
【図７】
2019181625.tif 000009
【図８】
2019181625.tif 000010
【図９】
2019181625.tif 000011
【図１０】
2019181625.tif 000012
【図１１】
2019181625.tif 000013
【図１２】
2019181625.tif 000014
【図１３】
2019181625.tif 000015
【図１４】
2019181625.tif 000016
【図１５】
2019181625.tif 000017
【図１６】
2019181625.tif 000018
【図１７】
2019181625.tif 000019
【図１８】
2019181625.tif 000020
【図１９】
2019181625.tif 000021
【図２０】
2019181625.tif 000022
【図２１】
2019181625.tif 000023
【図２２】
2019181625.tif 000024
【図２３】
2019181625.tif 000025
【図２４】
2019181625.tif 000026
【図２５】
2019181625.tif 000027
【図２６】
2019181625.tif 000028
【図２７】
2019181625.tif 000029